(57)【要約】      （修正有）【課題】普段使用されていない機械的錠前を隠すようにカバーする蓋体の開閉装置の提供。【解決手段】扉の壁面に固定される本体１と、この本体に形成された開口部３と、この開口部を臨むように本体に内設されたシリンダ錠４と、このシリンダ錠をカバーする蓋体２と、この蓋体を開閉することができるように本体の収納部に組み込まれた開閉手段Ｘとから成る錠前用の蓋体開閉装置であって、開閉手段は、収納部に配設されかつ本体の外部から押圧することによって上下方向に移動する駆動板１１を備え、この駆動板が所定方向へ移動すると、蓋体は、駆動板の押圧部に押される位置変位板２１と、位置変位板の案内ボス部２２、２２および固定案内板３１の水平案内長孔ないし垂直長孔３３，３３からなる連係手段を介して位置変位板と係合する固定案内板を、それぞれ介してシリンダ錠を露呈させる位置へと移動する。【選択図】図５
2008025301.tif 000002
【特許請求の範囲】
【請求項１】
扉の壁面に固定される本体と、この本体に形成された開口部と、この開口部を臨むように本体に内設されたシリンダ錠と、このシリンダ錠をカバーする蓋体と、この蓋体を開閉することができるように本体の収納部に組み込まれた開閉手段とから成る錠前用の蓋体開閉装置であって、前記開閉手段は、前記収納部に配設され、かつ、本体の外部から押圧することによって上下方向に移動する駆動板を備え、この駆動板が所定方向へ移動すると、前記蓋体は、駆動板の押圧部に押される位置変位板と、この位置変位板と連係手段を介して係合する固定案内板をそれぞれ介してシリンダ錠を露呈させる位置へと移動することを特徴とする錠前用の蓋体開閉装置。
【請求項２】
請求項１に於いて、本体の正面視から見えない箇所から操作具を操作して駆動板を押し込むことを特徴とする錠前用の蓋体開閉装置。
【請求項３】
請求項１に於いて、駆動板の押圧部は位置変位板に突設した案内ボス部に係合し、さらに、前記案内ボス部は固定案内板の水平案内長孔ないし垂直長孔に係合することを特徴とする錠前用の蓋体開閉装置。
【請求項４】
請求項１に於いて、開閉手段は、収納部に内設された第１バネ部材を含み、該第１バネ部材は、位置変位板に対して設けられた引っ張りバネであることを特徴とする錠前用の蓋体開閉装置。
【請求項５】
請求項１に於いて、開閉手段は、収納部に内設された第２バネ部材を含み、第２バネ部材の一端部は、駆動板に対して設けられ、該駆動板を初期位置へ戻すための復帰バネであることを特徴とする錠前用の蓋体開閉装置。
【請求項６】
請求項１に於いて、開閉手段の駆動板には、上下方向に複数個の押圧部が設けられ、これらの押圧部に対応して、位置変位板には複数個の案内ボス部が設けられ、さらに、これらの案内ボス部に対応して、固定案内板には複数個の水平案内長孔ないし垂直長孔が形成されていることを特徴とする錠前用の蓋体開閉装置。
【発明の詳細な説明】
【技術分野】
【０００１】
本発明は、錠前用の蓋体開閉装置に関し、特に、扉の壁面に固定されるベース板、ベース台、取り付け座板等の本体に設けられる錠前用の蓋体開閉装置に関する。
【背景技術】
【０００２】
特許文献１には、産業上の用途を限定しない蓋の開閉装置が記載されている。この蓋の開閉装置は、用途を限定しないものの、実質的には携帯型のビデオカメラ用の蓋の開閉装置といえる。
【０００３】
しかして、この蓋の開閉装置は、蓋の閉鎖時に、本体部側の係止片と係合する爪部を備え、蓋体に配置されたスライド板と、蓋体に軸支されたレバーと、スライド板とレバーの間に張架され、かつ、スライド板を付勢するバネ材とを備え、前記蓋体が閉鎖されたときに、スライド板がバネ材に抗して移動し、爪部が本体部の係止片と係合すると共に、この係合状態でレバーの一部が本体部側の一部に衝合することにより、バネ材を介してスライド板が閉鎖位置に付勢されるように構成されている。
【０００４】
そして、縦列の係合爪及び垂直長孔を有するスライド板は、本体に設けた操作子の操作力によって、本体の縦列案内ボスにより上下方向へ移動する。
【０００５】
しかしながら、この特許文献１に記載の蓋の開閉装置は、前述したように携帯型のビデオカメラを念頭に置いたものであるから、扉の壁面に固定されるベース板、ベース台、取り付け座板等の本体に設けられる錠前用の蓋体開閉装置には適合しない。
【０００６】
ところで、特許出願人は、非特許文献を貴庁に申請した。この非特許文献の発明の目的は、扉の壁面に固定されるベース板、ベース台、取り付け座板等の本体に設けられるシリンダ錠（特に、普段使用されていない機械的錠前）を蓋体で隠すようにカバーすることである。
【特許文献１】特許公開２０００−５０１２０号公報
【非特許文献１】特願２００６−１１６７９５号
【発明の開示】
【発明が解決しようとする課題】
【０００７】
本発明の第１の目的は、ベース板、ベース台、取り付け座板等の本体に設けられるシリンダ錠（特に、普段使用されていない機械的錠前）を蓋体で隠すようにカバーすることである。第２の目的は、悪戯を防ぐために、指を操作して、簡単に蓋体が開かないにすることである。第３の目的は、各部材がスムースに作動することである。第４の目的は、所定の条件（位置変位板が駆動板の駆動力によりを所要の位置まで移行すること）が満たされると、位置変位板は自動的に落下してシリンダ錠を露呈することである。
【課題を解決するための手段】
【０００８】
本発明の錠前用の蓋体開閉装置は、扉の壁面に固定される本体と、この本体に形成された開口部と、この開口部を臨むように本体に内設されたシリンダ錠と、このシリンダ錠をカバーする蓋体と、この蓋体を開閉することができるように本体の収納部に組み込まれた開閉手段とから成る錠前用の蓋体開閉装置であって、前記開閉手段は、前記収納部に配設され、かつ、本体の外部から押圧することによって上下方向に移動する駆動板を備え、この駆動板が所定方向へ移動すると、前記蓋体は、駆動板の押圧部に押される位置変位板と、この位置変位板と連係手段を介して係合する固定案内板をそれぞれ介してシリンダ錠を露呈させる位置へと移動することを特徴とする。
【０００９】
上記構成に於いて、本体の正面視から見えない箇所から操作具を操作して駆動板を押し込むことを特徴とする。また、駆動板の押圧部は位置変位板に突設した案内ボス部に係合し、さらに、前記案内ボス部は固定案内板の水平案内長孔ないし垂直長孔に係合することを特徴とする。また、開閉手段は、収納部に内設された第１バネ部材を含み、該第１バネ部材は、位置変位板に対して設けられた引っ張りバネであることを特徴とする。また、開閉手段は、収納部に内設された第２バネ部材を含み、第２バネ部材の一端部は、駆動板に対して設けられ、該駆動板を初期位置へ戻すための復帰バネであることを特徴とする。
【００１０】
さらに、開閉手段の駆動板には、上下方向に複数個の押圧部が設けられ、これらの押圧部に対応して、位置変位板には複数個の案内ボス部が設けられ、さらに、これらの案内ボス部に対応して、固定案内板には複数個の水平案内長孔ないし垂直長孔が形成されていることを特徴とする。
【発明の効果】
【００１１】
（１）ベース板、ベース台、取り付け座板等の本体に設けられるシリンダ錠（特に、普段使用されていない機械的錠前）を蓋体で隠すようにカバーすることができる。
（２）請求項２に記載の発明は、指を操作して、簡単に蓋体が開かないので、子供等による悪戯を極力防ぐことができる。
（３）請求項３、請求項４等に記載の発明は、各部材がスムースに作動する。また、所定の条件が満たされると、位置変位板は自動的に落下してシリンダ錠を露呈する。
【発明を実施するための最良の形態】
【００１２】
以下、図１乃至図１２に示す本発明を実施するための最良の形態により説明する。
【００１３】
（１）発明の実施の環境
図１乃至図３は発明の実施の環境を示す概略説明図である。図１乃至図３に於いて、１は錠前（例えば電気錠）用の取り付けベース板である。この取り付けベース板１は、当業者間では「取り付け長座」と称されている。この取り付けベース板１は、例えばその中央部に蓋体用の開閉手段Ｘにより位置変位可能な開閉蓋板２を備えている。取り付けベース板１は錠前、蓋体用の開閉手段等のシャーシ部に相当するので、ここでは、説明の便宜上、「本体１」といい、一方、開閉蓋板２は、本体１に形成された切欠凹所或いは開口部３を開閉するので、「蓋体２」と称することにする。
【００１４】
まず、図１は本体１の正面視からの概略説明図であるが、本体１は長いので、上部１ａの一部は省略している。省略した上部１ａには、例えばテンキー入力式、カード宛がい式等の錠装置本体（電気錠）が組み込まれている。
【００１５】
一方、１ｂは本体１の下部に相当し、この下部１ｂには、仮想線で示したような不番のレバーハンドルが不番の軸挿入孔を介して取り付けられる。したがって、実施例の矩形状蓋体２は、上部１ａと下部１ｂの中間部（中央部）１ｃに位置している。
【００１６】
次に、図２及び図３を参照にして、蓋体２が位置する本体１の中央部１ｃの構造を説明する。図２はシリンダ錠４をカバーしている蓋体２が開口部３を閉じている状態の概略説明図、一方、図３は、蓋体２が蓋体用の開閉手段Ｘを介して、矢印で示す外方向へ飛び出た状態の概略説明図である。図２及び図３から明らかなように、本体１の中央部１ｃには筒状部１ｄを介してシリンダ錠４が内設されている。
【００１７】
シリンダ錠４は、電気錠を普通一般に使用している際には蓋体２によって隠されている。すなわち、普段は上部１ａ側の図示しないテンキー入力式、カード宛がい式等の錠装置本体を利用し、一方、シリンダ錠４を使用する場合は緊急時を含む特別な場合である。そのために、望ましくは本体１の正面視から見えない箇所から操作具を用いて操作しないと、開閉手段Ｘは作動しない。開閉手段Ｘは本体１の上部１ａの端部ないし下部１ｂの一側部側の内部に縦長状に形成された収納部５に組み込まれている。以下、主に図４乃至図１２を参照にして開閉装置Ｘの具体的構成を説明する。
【００１８】
（２）開閉手段Ｘ
本発明の開閉装置は、携帯型電子機器、電気応用機械器具、化粧容器等の全ての用途に利用されるものではなく、図示しない扉の壁面に固定される本体１と、この本体に形成された開口部３と、この開口部を臨むように本体に内設されたシリンダ錠４と、このシリンダ錠を隠すようにカバーする蓋体２をそれぞれ含む。したがって、開閉手段Ｘは、例えば外部からの操作具によって、前記蓋体２を開閉することができるように本体１の収納部５に組み込まれた複数枚の板片状の部材から成る。
【００１９】
しかして、開閉手段Ｘは、収納部５に配設され、本体１の外部、例えば本体底部の孔８を介して本体１の外側から操作具９を介して押圧することによって上下方向に移動する駆動板１１を備え、この駆動板１１が所定方向（例えば上方）へ所要量移動すると、蓋体２は、駆動板１１の押圧部１３，１４の各テーパ１３ａ，１４ａによって前方へと押し出される位置変位板２１と、この位置変位板と連係手段を介して係合する固定案内板３１を介してシリンダ錠４を露呈させる位置へと移動（例えば落下）する。
【００２０】
（３）駆動板１１
図５の（ａ）、（ｂ）、（ｃ）は、駆動板１１を初期位置から矢印で示す上方へと移動させた場合を示す。また、図９の（ａ）、（ｂ）、（ｃ）は、駆動板１１の外観構成を示す。これらの説明図を参照にして駆動板１１の構成を説明する。
【００２１】
駆動板１１は細長い可動片である。図９の（ａ）正面図を基準にすると、１１ａは下端部で、この下端部１１ａは、図１で示すように下部１ｂの一側部側の下端部内に位置している。前記下部１ｂの底面に相当する下面には、孔８或いは切欠部が形成され、該孔８には、例えば不番のキャップが嵌め込まれている。
【００２２】
１１ｂは第２バネ部材（後述）用の支持部で、この支持部１１ｂは下端部寄りの部位を水平方向へ折り曲げ形成することによって出来ている。１１ｃは支持部１１ｂから垂直方向に延びる中間部で、この中間部１１ｃは本体１に形成された図示しない縦長溝に嵌り合っている。
【００２３】
１１ｄは中間部１１ｃに連設する上端部寄りの部位で、この上端部寄りの部位１１ｄの左側縁（前側に相当）の一部は切欠１２され、この切欠１２によってテーパ１３ａを有する下方押圧部１３が形成されている。１１ｅは下方押圧部１３からやや細く延びる上端部で、この上端部１１ｅには、テーパ１４ａを有する幅広の上方押圧部１４が突出形成されている。
【００２４】
前記上下方向に設けられた各テーパ１３ａ，１４ａは、例えば同一垂直線状に位置している。１５は上下の押圧部１４，１３の間に位置し、かつ、上端部寄りの部位１１ｄの左側縁（前側に相当）に突設された幅広案内部で、該幅広案内部１５には固定案内板３１の案内突起３２に係合する垂直長孔１５ａが形成されている。
【００２５】
上記構成の細長い駆動板１１は、図５の（ａ）、（ｂ）、（ｃ）で示すように、操作具９、例えばドライバーの先端部を本体１の底面の孔８に差込み、その下端部１１ａの端面を押圧すると、本体１の図示しない縦長溝及び固定案内板３１の案内突起３２にそれぞれ案内されながら、所定の位置まで上がる。
【００２６】
ところで、本実施例の開閉手段Ｘは、図４等で示すように、収納部５に内設された第２バネ部材１７を含み、第２バネ部材１７の一端部は、駆動板１１に対して設けられ、該駆動板１１を初期位置へ戻すための復帰バネである。
【００２７】
付言すると、図４で示すように、第２バネ部材１７は押しバネ（例えばコイルバネ）であって、収納部５のバネ収納部分１８に組み込まれ、その一端部（下端部）１７ａは、駆動板１１の支持部１１ｂに支持され、一方、他端部（上端部）１７ｂは、前記バネ収納部分１８の不番の内壁面に支持されている。
【００２８】
（４）固定案内板３１
固定案内板３１は、本体１の収納部５内に係合、固着、嵌め込み等の手段により適宜に固定されている。図１０の（ａ）、（ｂ）は固定案内板３１の外観構成を示す。また、図５は、駆動板１１が移動しても、固定案内板３１は移動しない旨を示している。
【００２９】
図１０の（ａ）、（ｂ）を参照にして固定案内板３１の構成を説明する。固定案内板３１は縦長の板片である。この縦長板片の中央部には、前述した案内突起３２が設けられている。この案内突起３２を基準として、縦長板片の上部と下部には、一組の水平案内長孔ないし垂直長孔３３，３３（係合溝も実質的に同一）が形成されている。
【００３０】
これらの水平案内長孔ないし垂直長孔３３，３３は、短い水平案内部分と、この水平案内部分の先端部（図面上、左）に垂直状態に連通する垂直部分にそれぞれ区別されている。そして、これらの水平案内長孔ないし垂直長孔３３，３３には、図４，図６等で示すように、位置変位板２１の上下一組の案内ボス部２２，２２がそれぞれ係合している。
【００３１】
付言すると、本実施例の開閉手段Ｘの駆動板１１には、上端部側に縦列に複数個の押圧部１３，１４が設けられ、これらの押圧部に対応して、位置変位板２１には複数個の案内ボス部２２，２２が縦列に設けられ、さらに、これらの案内ボス部に対応して、固定案内板３１には複数個の水平案内長孔ないし垂直長孔３３，３３が縦列に形成されている。
【００３２】
（５）位置変位板２１
図１１の（ａ）、（ｂ）、（ｃ）は、位置変位板２１の外観構成を示す。図１１の（ａ）正面図を基準にすると、位置変位板２１の上下端部には、手前側に見える一組の案内ボス部２２，２２が縦列に設けられている。不番のフランジを有する案内ボス部２２，２２は、図５で示すように、駆動板１１の上下の押圧部１３，１４にそれぞれ係合し、また、例えば図１１の（ａ）、（ｂ）で示すように、固定案内板３１の上下の水平案内長孔ないし垂直長孔３３，３３にそれぞれ係合する。したがって、本実施例では、位置変位板２１の案内ボス部２２，２２と固定案内板３１の水平案内長孔ないし垂直長孔３３，３３は、それぞれ一対の連係手段を構成している。
【００３３】
また、図１１の（ｃ）で示すように、位置変位板２１の上端部寄りの部位には、切欠縁部２１ａから底面視ややＺ形状に延びる支持アーム２３が設けられている。この支持アーム２３は、蓋体２の背面に設けられた一対の係合爪片に一体的に係合する。
なお、支持アーム２３の先端部には、取り付け孔（例えば係合小孔）２４が形成されている。
【００３４】
（６）第１バネ部材３５
ところで、本実施例では、開閉手段Ｘは、第１バネ部材３５を含み、該第１バネ部材３５は、位置変位板２１に対して設けられた引っ張りバネである。そのために、位置変位板２１の下端部には、バネ端取り付け部３４が設けられている。
【００３５】
（７）蓋体２
図１２の（ａ）、（ｂ）、（ｃ）は、蓋体２の外観構成を示す。図１２の（ｂ）右側面図を基準にすると、蓋体２の背面の上部には、上下一対の弾性係合爪片４１が設けられている。また、これらの係合爪片４１の間の蓋体２の背面には、支持アーム２３の先端部の取り付け孔２４と係合するワンタッチ式に係脱する小突起４２が設けられている。なお、蓋体２は図１２の（ｃ）底面図で示すようにやや弧状に形成されている。
【００３６】
（８）主な作用
まず、図５の（ａ）は、駆動板１１を押圧する前の初期段階を示す。この初期段階では、位置変位板２１の縦列の案内ボス部２２，２２は、固定案内板３１の水平案内長孔の奥側に位置していると共に、駆動板１１に対しては、縦列の押圧部１３，１４の各テーパ１３ａ，１４ａの上辺にそれぞれ位置している。
【００３７】
次に、図５の（ｂ）は、例えばシリンダ錠４を使用したい緊急時、操作具９の先端部を本体１の底面の孔８に差込み、駆動板１１の下端部１１ａの端面を押圧した時の中途状態を示す。
【００３８】
駆動板１１が上昇すると、押圧部１３，１４の各テーパ１３ａ，１４ａは、位置変位板２１の案内ボス部２２，２２を同時に押すことになるから、位置変位板２１は固定案内板３１の水平案内長孔に案内されて矢印で示す左側へと移動する。
【００３９】
図５の（ｃ）は、前記案内ボス部２２，２２が垂直案内長孔の位置まで移行し、位置変位板２１がその位置で落下できる旨を示す。この時、蓋体２は本体の前方へ飛び出ている。そうすると、開閉手段Ｘは、第１バネ部材３５を含み、該第１バネ部材３５は、位置変位板２１に対して設けられた引っ張りバネであることから、位置変位板２１は固定案内板３１の縦列の垂直案内長孔に案内されながら勢い良く落下する。これにより、開口部３が開口してシリンダ錠４の前面が露呈する。そこで、図８で示すように合鍵Ｋをシリンダ錠４の鍵穴に差し込むことができる。
【００４０】
そして、シリンダ錠４を解錠した後は、合鍵Ｋをシリンダ錠４から引き抜き、蓋体２の下端面に指を当てた状態で持ち上げ、図５の（ｃ）の状態になったならば、蓋体２を扉の壁面側に押し込む。なお、開閉手段Ｘは、収納部５に内設された第２バネ部材１７を含み、第２バネ部材１７は駆動板１１を初期位置へ戻すための復帰バネであることから、駆動板１１は既に初期位置にある。
【実施例】
【００４１】
発明の実施の形態で示した実施例に於いて、開閉手段Ｘは単数であることから、蓋体２は位置変位板２１に「いわば片持ち式」で支持された状態で本体１の前方へと押し出されるが、同一構成の開閉手段Ｘを本体１の両側壁部の収納部５に左右一対配設しても良い。
【００４２】
したがって、このような実施例の場合には、蓋体２は位置変位板２１に「いわば両手」で支持された状態で本体１の前方へと押し出される。また、第１バネ部材３５並びに第２バネ部材１７は、本発明の限定要件ではなく、発明の目的によって特定要件となる。その他、蓋体２の形状は任意に設計変更することができると共に、該蓋体２の背面に適当な位置決め突起を形成することもできる。
【産業上の利用可能性】
【００４３】
本発明は、主に錠前、建具の業界で利用される。
【図面の簡単な説明】
【００４４】
図１乃至図１２は本発明の最良の実施例を示す各説明図。
【図１】発明の実施の環境を示す概略説明図（本体の正面視からの説明図）。
【図２】図１の２−２線概略断面説明図。
【図３】図２の状態に於いて、蓋体が本体の前方へ飛び出た旨の説明図。
【図４】開閉手段の初期段階の概略説明図。
【図５】（ａ）は初期段階の概略説明図、（ｂ）駆動板を押圧した時の中途状態を示す概略説明図、（ｃ）駆動板の作動により、縦列の案内ボス部２２，２２が垂直案内長孔の位置へと移行する旨の概略説明図。
【図６】蓋体が本体の前方へ飛び出た旨の説明図。
【図７】蓋体が落下した旨を示す概略説明図。
【図８】蓋体が落下し、合鍵をシリンダ錠に差し込んだ状態の説明図。
【図９】（ａ）駆動板の正面図、（ｂ）  駆動板の左側面図、（ｃ）  駆動板の底面図。
【図１０】（ａ）固定案内板の正面図、（ｂ）  固定案内板の左側面図。
【図１１】（ａ）位置変位板の正面図、（ｂ）  位置変位板の左側面図、（ｃ）  位置変位板の底面図。
【図１２】（ａ）蓋体の正面図、（ｂ）  蓋体の右側面図、（ｃ）  蓋体の底面図。
【符号の説明】
【００４５】
Ｘ…開閉手段、１…取り付けベース板（本体）、１ａ…上部、１ｂ…下部、１ｃ…中間部（中央部）、１ｄ…筒状部、２…蓋板（蓋体）、３…開口部、４…シリンダ錠、５…収納部、８…本体底部の孔、９…操作具、１１…駆動板、１１ａ…下端部、１１ｂ…支持部、１１ｃ…中間部、１１ｄ…上端部寄りの部位、１１ｅ…上端部、１２…切欠、１３，１４…押圧部、１３ａ，１４ａ…テーパ、１５…幅広案内部、１５ａ…垂直長孔、１７…第２バネ部材、１８…バネ収納部分、２１…位置変位板、２１ａ…切欠縁部、２２…案内ボス部、２３…支持アーム、２４…取り付け孔（例えば係合小孔）、３１…固定案内板、３２…案内突起、３３…水平案内長孔ないし垂直長孔、３４…バネ端取り付け部、３５…第１バネ部材、４１…係合爪片、４２…小突起。
【図１】
2008025301.tif 000003
【図２】
2008025301.tif 000004
【図３】
2008025301.tif 000005
【図４】
2008025301.tif 000006
【図５】
2008025301.tif 000007
【図６】
2008025301.tif 000008
【図７】
2008025301.tif 000009
【図８】
2008025301.tif 000010
【図９】
2008025301.tif 000011
【図１０】
2008025301.tif 000012
【図１１】
2008025301.tif 000013
【図１２】
2008025301.tif 000014